(57)【要約】【課題】部品点数を増やすことなくソケット用コンタクト部を短絡でき、その上、ソケット用コンタクト部を確実に規定の順番でソケットの端子に接続できるメモリカード用アダプタを提供することにある。【解決手段】メモリカード用アダプタ１は、メモリカードとソケットとを電気的に接続するコンタクトブロック３を備え、コンタクトブロック３は、前面側に設けられた接触面４１によりソケットの端子に接続されるソケット用コンタクト部４と、ソケット用コンタクト部４間を短絡する短絡部７と、インサート成形により形成されてソケット用コンタクト部４の接触面４１を露出するとともに短絡部７を埋設する形でこれらを保持する保持部９とを備え、短絡部７は、ソケット用コンタクト部４におけるソケットへの接続方向側の端面４０から一体に延設されるとともに、前面７ａが接触面４１よりも後方に位置するように構成されてなる。【選択図】図１
2008251509.tif 000002
【特許請求の範囲】
【請求項１】
メモリカードよりも外形が大きい大型メモリカード用のソケットに上記メモリカードを電気的かつ機械的に接続する際に利用されるメモリカード用アダプタであって、
上記大型メモリカードの外形と同サイズの箱状に形成され側面に開口したカード挿入口を通して上記メモリカードが挿抜されるアダプタ本体と、アダプタ本体に収納されて上記メモリカードと上記ソケットとの電気的接続に用いられるコンタクトブロックとを備え、
コンタクトブロックは、上記ソケットへの接続方向に直交する厚み方向における一端側に設けられた接触面により上記ソケットの複数の端子それぞれに電気的に接続される複数のソケット用コンタクト部と、上記メモリカードの複数の端子それぞれに電気的に接続される複数のメモリカード用コンタクト部と、上記メモリカードおよび上記大型メモリカードそれぞれの端子配列に基づいてソケット用コンタクト部同士を電気的に接続する短絡部と、インサート成形により形成されて複数のソケット用コンタクト部の上記接触面および複数のメモリカード用コンタクト部を露出するとともに短絡部を埋設する形で複数のソケット用コンタクト部および複数のメモリカード用コンタクト部および短絡部を保持する保持部とを備え、
複数のメモリカード用コンタクト部は、上記メモリカードおよび上記大型メモリカードそれぞれの端子配列に基づいてソケット用コンタクト部に電気的に接続され、
複数のソケット用コンタクト部は、上記ソケットへの接続方向側の端面の位置を上記接続方向に沿った方向において異ならせることで、上記ソケットへの装着時に当該ソケットの端子に接続される順番が規定され、
短絡部は、ソケット用コンタクト部の上記端面から一体に延設されるとともに、上記厚み方向における一端側の面がソケット用コンタクト部の上記接触面よりも上記厚み方向における他端側に位置するように構成されてなることを特徴とするメモリカード用アダプタ。
【請求項２】
短絡部は、２つのソケット用コンタクト部同士を電気的に接続するように構成され、上記２つのソケット用コンタクト部の上記端面それぞれから上記接続方向に沿って延設され先端部の位置が揃えられた一対の延設部と、ソケット用コンタクト部の上記接触面に平行する面内で上記ソケットへの接続方向と直交する幅方向を長手方向とする形に形成され一対の延設部を一体に連結する連結部とを備え、一対の延設部は、いずれもソケット用コンタクト部の上記端面との距離が所定値となる部位で折曲され、連結部には、一対の延設部の長さの違いに応じて圧延されて上記幅方向を長手方向とする形に連結部の形状を維持する圧延部が形成されてなることを特徴とする請求項１記載のメモリカード用アダプタ。
【請求項３】
短絡部は、上記厚み方向においてソケット用コンタクト部と重なる形に折曲された状態で、保持部に埋設されていることを特徴とする請求項１または２記載のメモリカード用アダプタ。
【請求項４】
短絡部が設けられていないソケット用コンタクト部の上記端面には保持部に埋設される剥離防止部が一体に突設され、剥離防止部は、上記厚み方向における他端側に折曲されるとともに、上記厚み方向における一端側の面が、上記接触面よりも上記厚み方向における他端側に位置するように構成されていることを特徴とする請求項１〜３のうちいずれか１項記載のメモリカード用アダプタ。
【請求項５】
メモリカード用コンタクト部には、上記メモリカードの端子に接触される接触ばね片が設けられ、上記接触ばね片は、メモリカード用コンタクト部における上記接続方向側とは反対側の部位から上記接続方向側に向かって延設されてなることを特徴とする請求項１〜４のうちいずれか１項記載のメモリカード用アダプタ。
【請求項６】
接触ばね片は、上記接続方向側にいくにつれてアダプタ本体に収納されたメモリカードに近接する形に形成されてなることを特徴とする請求項５記載のメモリカード用アダプタ。
【請求項７】
アダプタ本体におけるメモリカード用コンタクト部とカード挿入口との間には、メモリカード用コンタクト部におけるカード挿入口側の端面と上記メモリカードとの接触を防止するリブが形成されていることを特徴とする請求項１〜６のうちいずれか１項記載のメモリカード用アダプタ。
【発明の詳細な説明】
【技術分野】
【０００１】
本発明は、メモリカードを当該メモリカードよりも外形が大きい大型メモリカード用のソケットに接続するためのメモリカード用アダプタに関する。
【背景技術】
【０００２】
近年、携帯電話機や、ＰＤＡなどの機器の小型化に伴って、ＳＤメモリカードや、マルチメディアカード（ＭＭＣ）などのメモリカードの小型化が望まれており、例えば、ＳＤメモリカードの外形を一回り小さくしたミニＳＤメモリカードや、ＳＤメモリカードの外形をさらに一回り（ミニＳＤメモリカードの外形を一回り）小さくしたマイクロＳＤメモリカードが提供されている。
【０００３】
ここで、ミニＳＤメモリカードは、ＳＤメモリカードよりも外形が小さいので、ＳＤメモリカード用のソケットに直接的に接続できず、また、マイクロＳＤメモリカードは、ミニＳＤメモリカードよりも外形が小さいので、ミニＳＤメモリカードやＳＤメモリカード用のソケットに直接的に接続できない。
【０００４】
そこで、メモリカードを当該メモリカードよりも外形が大きい大型のメモリカード用のソケットに接続可能とするメモリカード用アダプタが提案されている。
【０００５】
この種のメモリカード用アダプタは、大型メモリカードの外形と同サイズの箱状に形成され、側面に開口したカード挿入口を通してメモリカードが挿抜されるアダプタ本体と、アダプタ本体に収納されてメモリカードとソケットとの電気的接続に用いられるコンタクトブロックとを備えている（例えば、特許文献１，２参照）。
【０００６】
ここで、コンタクトブロックは、ソケットへの接続方向に直交する厚み方向における一端側に設けられた接触面によりソケットの複数の端子それぞれに電気的に接続される複数のソケット用コンタクト部と、メモリカードの複数の端子それぞれに電気的に接続される複数のメモリカード用コンタクト部とを備え、ソケット用コンタクト部とメモリカード用コンタクト部とは、メモリカードおよび大型メモリカードそれぞれの端子配列に基づいて電気的に接続される。
【０００７】
例えば、特許文献１，２それぞれには、ミニＳＤメモリカードをＳＤメモリカード用のソケットに接続するためのメモリカード用アダプタが例示されている。ここで、ＳＤメモリカードは９つの端子を備え、そのうちの２つがグランド用の端子となっている。また、ミニＳＤメモリカードは、ＳＤメモリカードと同様の９つの端子に予備の端子を２つ加えた合計１１の端子を備えている。
【０００８】
したがって、ミニＳＤメモリカードを、ミニＳＤメモリカードより大型のメモリカードであるＳＤメモリカード用のソケットに接続するためのメモリカード用アダプタでは、ソケット用コンタクト部と、メモリカード用コンタクト部とが、一対一対応で電気的に接続される。
【０００９】
一方、マイクロＳＤメモリカードでは、ＳＤメモリカードと同様の９つの端子から２つあるグランド用の端子の一方が省略されているので、マイクロＳＤメモリカードは合計８つの端子を備えている。そのため、マイクロＳＤメモリカードをミニＳＤメモリカード（あるいはＳＤメモリカード）用のソケットに接続するためのメモリカード用アダプタでは、グランド用の端子に相当する２つのソケット用コンタクト部の両方を、マイクロＳＤメモリカードのグランド用の端子に接続されるメモリカード用コンタクト部に電気的に接続する、すなわち上記２つのソケット用コンタクト部間を短絡する必要がある。
【００１０】
ここで、ＳＤメモリカードおよびミニＳＤメモリカードでは、２つのグランド用の端子が隣接していないため、これらを一体に形成して短絡することは難しく、上記２つのソケット用コンタクト部間を短絡するにあたっては、当該２つのソケット用コンタクト部を短絡ための短絡部となる導電部材を新たに設ける必要があった。
【００１１】
このように導電部材を新たに設けた場合、部品点数が増え、これに伴って導電部材を組み込む作業が必要になり、その結果、製造コストが増えるという問題が生じていた。
【００１２】
かかる問題点に鑑み、部品点数を増やすことなくソケット用コンタクト部を短絡可能としたメモリカード用アダプタが提案されている（例えば、特許文献３）。
【００１３】
この特許文献３におけるコンタクトブロックでは、ソケット用コンタクト部間を短絡する短絡部が、ソケットへの接続方向側のソケット用コンタクト部の端面から一体に延設されている。また、コンタクトブロックは、インサート成形により形成されて複数のソケット用コンタクト部の上記接触面および複数のメモリカード用コンタクト部を露出するとともに短絡部を埋設する形で複数のソケット用コンタクト部および複数のメモリカード用コンタクト部および短絡部を保持する保持部を備えている。
【特許文献１】特開２００４−２７２７０４号公報
【特許文献２】特開２００４−２８０７１８号公報
【特許文献３】特開２００５−２４２４４８号公報（段落番号〔００１９〕〜〔００２１〕、および図１，４参照）
【発明の開示】
【発明が解決しようとする課題】
【００１４】
ところで、上記のようなメモリカードでは、メモリカードの端子がソケットの端子に接続される順番が規定されていること（つまり、シーケンス構造を有していること）が好ましい。例えば、データ伝送用の端子よりも先に、グランド用の端子がソケットの端子に接続されることが好ましい。
【００１５】
ここで、ソケットへの装着時に当該ソケットの端子に接続されるソケット用コンタクト部の順番は、ソケット用コンタクト部の上記端面の位置をソケットへの接続方向に沿った方向において異ならせることによって規定される。
【００１６】
そのため、上記特許文献３に示すメモリカード用アダプタのように、ソケット用コンタクト部間を短絡する短絡部がソケット用コンタクト部の上記端面から一体に延設されていると、ソケット用コンタクト部の接触面が保持部形成用の樹脂材料によって覆われたり、短絡部の一部が保持部から露出したりするおそれがあり、その結果、ソケット用コンタクト部を規定の順番でソケットの端子に接続することができない（つまり、所望のシーケンス構造が得られない）という問題が生じていた。
【００１７】
本発明は上述の点に鑑みて為されたもので、その目的は、部品点数を増やすことなくソケット用コンタクト部を短絡でき、その上、ソケット用コンタクト部を確実に規定の順番でソケットの端子に接続できるメモリカード用アダプタを提供することにある。
【課題を解決するための手段】
【００１８】
上述の課題を解決するために、請求項１の発明では、メモリカードよりも外形が大きい大型メモリカード用のソケットに上記メモリカードを電気的かつ機械的に接続する際に利用されるメモリカード用アダプタであって、上記大型メモリカードの外形と同サイズの箱状に形成され側面に開口したカード挿入口を通して上記メモリカードが挿抜されるアダプタ本体と、アダプタ本体に収納されて上記メモリカードと上記ソケットとの電気的接続に用いられるコンタクトブロックとを備え、コンタクトブロックは、上記ソケットへの接続方向に直交する厚み方向における一端側に設けられた接触面により上記ソケットの複数の端子それぞれに電気的に接続される複数のソケット用コンタクト部と、上記メモリカードの複数の端子それぞれに電気的に接続される複数のメモリカード用コンタクト部と、上記メモリカードおよび上記大型メモリカードそれぞれの端子配列に基づいてソケット用コンタクト部同士を電気的に接続する短絡部と、インサート成形により形成されて複数のソケット用コンタクト部の上記接触面および複数のメモリカード用コンタクト部を露出するとともに短絡部を埋設する形で複数のソケット用コンタクト部および複数のメモリカード用コンタクト部および短絡部を保持する保持部とを備え、複数のメモリカード用コンタクト部は、上記メモリカードおよび上記大型メモリカードそれぞれの端子配列に基づいてソケット用コンタクト部に電気的に接続され、複数のソケット用コンタクト部は、上記ソケットへの接続方向側の端面の位置を上記接続方向に沿った方向において異ならせることで、上記ソケットへの装着時に当該ソケットの端子に接続される順番が規定され、短絡部は、ソケット用コンタクト部の上記端面から一体に延設されるとともに、上記厚み方向における一端側の面がソケット用コンタクト部の上記接触面よりも上記厚み方向における他端側に位置するように構成されてなることを特徴とする。
【００１９】
請求項１の発明によれば、ソケット用コンタクト部同士を電気的に接続して短絡する短絡部を、ソケット用コンタクト部におけるソケットへの接続方向側の端面から一体に延設しているので、ソケット用コンタクト部を短絡するための導電部材を新たに設けなくて済むから、部品点数を増やすことなくソケット用コンタクト部を短絡できる。その上、短絡部は、厚み方向における一端側を向いた面が、ソケット用コンタクト部の上記厚み方向における一端側の面からなる接触面よりも、上記厚み方向における他端側に位置しているので、保持部の形成時に保持部形成用の樹脂材料が短絡部を伝ってソケット用コンタクト部の接触面に到達し難くなるから、接触面が保持部形成用の樹脂材料で覆われることを防止できるとともに短絡部の一部が保持部から露出することを防止でき、その結果、ソケット用コンタクト部の接触面を設計どおりに保持部９から露出させることができるようになり、ソケット用コンタクト部を確実に規定の順番でソケットの端子に接続できる。また、ソケット用コンタクト部に一体に形成された短絡部が保持部に埋設されているから、短絡部が設けられたソケット用コンタクト部が保持部から剥離してしまうことを抑制できる。
【００２０】
請求項２の発明では、請求項１の発明において、短絡部は、２つのソケット用コンタクト部同士を電気的に接続するように構成され、上記２つのソケット用コンタクト部の上記端面それぞれから上記接続方向に沿って延設され先端部の位置が揃えられた一対の延設部と、ソケット用コンタクト部の上記接触面に平行する面内で上記ソケットへの接続方向と直交する幅方向を長手方向とする形に形成され一対の延設部を一体に連結する連結部とを備え、一対の延設部は、いずれもソケット用コンタクト部の上記端面との距離が所定値となる部位で折曲され、連結部には、一対の延設部の長さの違いに応じて圧延されて上記幅方向を長手方向とする形に連結部の形状を維持する圧延部が形成されてなることを特徴とする。
【００２１】
請求項２の発明によれば、短絡部により短絡するソケット用コンタクト部の端面の位置が異なっていても、連結部を、ソケット用コンタクト部の接触面に平行する面内でソケットへの接続方向と直交する幅方向を長手方向とする形状に維持できるから、連結部が上記幅方向を長手方向とする形状となるように延設部を折曲することにより、延設部を折曲する部位を間違ってしまうことを防止できる。
【００２２】
請求項３の発明では、請求項１または２の発明において、短絡部は、上記厚み方向においてソケット用コンタクト部と重なる形に折曲された状態で、保持部に埋設されていることを特徴とする。
【００２３】
請求項３の発明によれば、短絡部により短絡しないソケット用コンタクト部と、短絡部との絶縁距離を確保でき、その上、短絡部が設けられたソケット用コンタクト部が保持部から剥離してしまうことをさらに抑制できる。
【００２４】
請求項４の発明では、請求項１〜３のうちいずれか１項の発明において、短絡部が設けられていないソケット用コンタクト部の上記端面には保持部に埋設される剥離防止部が一体に突設され、剥離防止部は、上記厚み方向における他端側に折曲されるとともに、上記厚み方向における一端側の面が、上記接触面よりも上記厚み方向における他端側に位置するように構成されていることを特徴とする。
【００２５】
請求項４の発明によれば、短絡部が設けられていないソケット用コンタクト部が保持部から剥離してしまうことを抑制できる。その上、剥離防止部は、厚み方向における一端側を向いた面が、ソケット用コンタクト部の上記厚み方向における一端側の面からなる接触面よりも、上記厚み方向における他端側に位置しているので、保持部の形成時に保持部形成用の樹脂材料が剥離防止部を伝ってソケット用コンタクト部の接触面に到達し難くなるから、接触面が保持部形成用の樹脂材料で覆われることを防止できるとともに剥離防止部の一部が保持部から露出することを防止でき、その結果、ソケット用コンタクト部の接触面を設計どおりに保持部から露出させることができるようになり、ソケット用コンタクト部を確実に規定の順番でソケットの端子に接続できる。
【００２６】
請求項５の発明では、請求項１〜４のうちいずれか１項の発明において、メモリカード用コンタクト部には、上記メモリカードの端子に接触される接触ばね片が設けられ、上記接触ばね片は、メモリカード用コンタクト部における上記接続方向側とは反対側の部位から上記接続方向側に向かって延設されてなることを特徴とする。
【００２７】
請求項５の発明によれば、メモリカード用コンタクト部における上記接続方向側の部位から接触ばね片を延設する場合に比べれば、メモリカード用コンタクト部における上記接続方向側の部位とその反対側の部位との間の距離だけばね長を長くできるから、狭いスペースでも所望のばね力を確保できる。
【００２８】
請求項６の発明では、請求項５の発明において、接触ばね片は、上記接続方向側にいくにつれてアダプタ本体に収納されたメモリカードに近接する形に形成されてなることを特徴とする。
【００２９】
請求項６の発明によれば、メモリカードの端子に接触ばね片が接触し易くなるとともに、所定の接圧が確保できるようになるから、メモリカード用コンタクト部とメモリカードの端子との接触信頼性が向上する。
【００３０】
請求項７の発明では、請求項１〜６のうちいずれか１項の発明において、アダプタ本体におけるメモリカード用コンタクト部とカード挿入口との間には、メモリカード用コンタクト部におけるカード挿入口側の端面と上記メモリカードとの接触を防止するリブが形成されていることを特徴とする。
【００３１】
請求項７の発明によれば、メモリカード用コンタクト部におけるカード挿入口側の端面に、メモリカードが衝突して、メモリカード用コンタクト部が折れ曲がって（座屈して）しまうことを防止できる。
【発明の効果】
【００３２】
本発明は、部品点数を増やすことなくソケット用コンタクト部を短絡でき、その上、ソケット用コンタクト部を確実に規定の順番でソケットの端子に接続できるという効果を奏する。
【発明を実施するための最良の形態】
【００３３】
本発明の一実施形態のメモリカード用アダプタ（以下、単に「アダプタ」と称する）１は、図２に示すように、メモリカード（本実施形態では、マイクロＳＤメモリカード）１００（図４参照）を、当該メモリカード１００よりも外形が大きい大型メモリカード（本実施形態では、ミニＳＤメモリカード）用のソケット（図示せず）に接続する際に利用されるものである。なお、以下の説明では、説明の簡略化のため、特に断りが無い場合、図２における矢印ａ−ｂ方向を前後方向、矢印ｃ−ｄ方向を左右方向、矢印ｅ−ｆ方向を奥行き方向として説明する。
【００３４】
本実施形態のアダプタ１は、図２に示すように、大型メモリカードの外形と同サイズの箱状に形成され、側面（図２に矢印ｆで示す手前側の面）に開口したカード挿入口２ａを通してメモリカード１００が挿抜されるアダプタ本体２と、アダプタ本体２に収納されてメモリカード１００と上記ソケットとの電気的接続に用いられるコンタクトブロック３とを備えている。
【００３５】
コンタクトブロック３は、図１（ａ）および図５（ａ），（ｂ）に示すように、導電部として、上記ソケットへの接続方向（図２に矢印ｅで示す奥方向）に直交する厚み方向（図２に矢印ａ，ｂで示す前後方向）における一端側（つまり前方）に設けられた接触面４１により上記ソケットの複数の端子それぞれに電気的に接続される長尺板状の複数のソケット用コンタクト部４と、メモリカード１００の複数の端子それぞれに電気的に接続される長尺板状の複数のメモリカード用コンタクト部５と、メモリカード１００および上記大型メモリカードそれぞれの端子配列に基づいてソケット用コンタクト部４同士を電気的に接続（ソケット用コンタクト部４間を短絡）する短絡部７とを備えている。
【００３６】
また、コンタクトブロック３は、図７（ａ），（ｂ）に示すように、絶縁部として、インサート成形により形成されて、複数のソケット用コンタクト部４の接触面４１および複数のメモリカード用コンタクト部５を露出するとともに短絡部７を埋設する形で複数のソケット用コンタクト部４および複数のメモリカード用コンタクト部５および短絡部７を保持する保持部９とを備えている。
【００３７】
ところで、本実施形態のアダプタ１は、マイクロＳＤメモリカードをミニＳＤメモリカード用のソケットに接続するためのものであるから、上記ソケットの端子は１１あり、これに伴って、コンタクトブロック３は１１のソケット用コンタクト部４を備えている。なお、以下の説明では、必要に応じて１１のソケット用コンタクト部４を区別するために、ソケット用コンタクト部４を左側から符号４Ａ〜４Ｋで表す。
【００３８】
また、本実施形態におけるメモリカード１００は、マイクロＳＤメモリカードであり、マイクロＳＤメモリカードは、左右方向に所定間隔で並べられた８つの端子を備えており、これに伴って、コンタクトブロック３は８つのメモリカード用コンタクト部５を備えている。なお、以下の説明では、必要に応じて８つのメモリカード用コンタクト部５を区別するために、メモリカード用コンタクト部５を左側から符号５Ａ〜５Ｈで表す。
【００３９】
ソケット用コンタクト部４Ａ〜４Ｋは、上記ソケットの複数の端子それぞれに対応する形（すなわち上記ソケットの複数の端子と同ピッチで、奥行き方向を長さ方向として左右方向）に並ぶ形に設けられており、このソケット用コンタクト部４は、上記接触面４１が上記ソケットの端子に接触することによって、上記ソケットの端子に電気的に接続される。また、ソケット用コンタクト部４Ａ〜４Ｋは、上記ソケットへの接続方向側（すなわち図２に示す矢印ｅ方向）の端面４０の位置を上記接続方向に沿った方向において異ならせるように配置されている。
【００４０】
本実施形態のコンタクトブロック３では、ソケット用コンタクト部４Ｄ，４Ｇの端面４０が他のソケット用コンタクト部４Ａ〜４Ｃ，４Ｅ，４Ｆ，４Ｈ〜４Ｋそれぞれの端面４０よりも上記接続方向側に位置している。したがって、メモリカード用アダプタ１を上記ソケットに装着した際には、ソケット用コンタクト部４Ｄ，４Ｇが最初に上記ソケットの端子に接続（ソケット用コンタクト部４Ｄ，４Ｇの接触面４１が最初に上記ソケットの端子に接触）され、その後に、他のソケット用コンタクト部４Ａ〜４Ｃ，４Ｅ，４Ｆ，４Ｈ〜４Ｋが同時に上記ソケットの端子に接続（他のソケット用コンタクト部４Ａ〜４Ｃ，４Ｅ，４Ｆ，４Ｈ〜４Ｋの接触面４１が同時に上記ソケットに接触）される。
【００４１】
つまり、これらソケット用コンタクト部４Ａ〜４Ｋは、端面４０の位置を上記接続方向に沿った方向において異ならせることで、メモリカード用アダプタ１を上記ソケットに装着する際に上記ソケットの端子に接続される順番が規定されている。
【００４２】
メモリカード用コンタクト部５Ａ〜５Ｈは、メモリカード１００の複数の端子それぞれに対応する形（すなわちメモリカード１００の複数の端子と同ピッチで、奥行き方向を長さ方向として左右方向）に並ぶ形に設けられている。また、メモリカード用コンタクト部５Ａ〜５Ｋは、上記ソケットへの接続方向側（すなわち図２に示す矢印ｅ方向）とは反対側（図２に示す矢印ｆ方向）の端面の位置を上記接続方向に沿った方向において揃えるように配置されている。
【００４３】
メモリカード用コンタクト部５それぞれには、上記接続方向に沿った方向を長手方向とする矩形状の開孔部５０が厚み方向に貫設されている。また、メモリカード用コンタクト部５における手前側（接続方向側とは反対側）の部位となる開孔部５０の手前側の内側面からは、図１（ｂ）に示すように、メモリカード１００の端子に接触される接触ばね片５１が上記接続方向側に向かって延設されている。このように接触ばね片５１をメモリカード用コンタクト部５に設けることにより、メモリカード用コンタクト部５における接続方向側の部位から接触ばね片５１を延設する場合や、メモリカード用コンタクト部５自体をばね形状に形成する場合に比べれば、メモリカード用コンタクト部５における接続方向側の部位とその反対側の部位との間の距離だけばね長を長くできるから、狭いスペースでも所望のばね力を確保できる。
【００４４】
また、接触ばね片５１は、接触ばね片５１の先部からなる端子接触部５１ａの後面と、メモリカード用コンタクト部５の後面との間に段差が生じるように、上記接続方向側にいくにつれて後方に突出する形（すなわち、アダプタ本体２に収納されたメモリカード１００に近接する形）に突出する形に形成されてなる。これによって、メモリカード１００の端子に接触ばね片５１が接触し易くなるとともに、所定の接圧が確保できるようになるから、メモリカード用コンタクト部５とメモリカード１００の端子との接触信頼性が向上する。
【００４５】
このようなメモリカード用コンタクト部５は、メモリカード１００および上記大型メモリカードそれぞれの端子配列に基づいて、ソケット用コンタクト部４にメモリカード用コンタクト部５を電気的に接続される。本実施形態におけるメモリカード用コンタクト部５は、電気接続部６によりソケット用コンタクト部４に電気的に接続されている。なお、以下の説明では、必要に応じて電気接続部６を区別するために、電気接続部６を左側から符号６Ａ〜６Ｈで表す。
【００４６】
ここで、上記大型メモリカードはミニＳＤメモリカードであるから、ソケット用コンタクト部４Ａ，４Ｂ，４Ｊ，４ＫそれぞれはミニＳＤメモリカードのデータ伝送用の端子に、ソケット用コンタクト部４ＣはミニＳＤメモリカードのコマンド用の端子に、ソケット用コンタクト部４Ｄ，４ＩそれぞれはミニＳＤメモリカードのグランド用の端子に、ソケット用コンタクト部４Ｅ，ＦはミニＳＤメモリカードの予備の端子に、ソケット用コンタクト部４ＧはミニＳＤメモリカードの電源用の端子に、ソケット用コンタクト部４ＨはミニＳＤメモリカードのクロック用の端子に、それぞれ相当する。
【００４７】
一方、マイクロＳＤメモリカードからなるメモリカード１００は上述したように８つの端子を備えており、左（図４では右）から１，２，７，８番目の端子それぞれがデータ伝送用の端子、左から３番目の端子がコマンド用の端子、左から４番目の端子が電源用の端子、左から５番目の端子がクロック用の端子、左から６番目の端子がグランド用の端子となっている。
【００４８】
そのため、メモリカード用コンタクト部５Ａ，５Ｂ，５Ｇ，５ＨそれぞれはマイクロＳＤメモリカードのデータ伝送用の端子に、メモリカード用コンタクト部５ＣはマイクロＳＤメモリカードのコマンド用の端子に、メモリカード用コンタクト部５ＤはマイクロＳＤメモリカードの電源用の端子に、メモリカード用コンタクト部５ＥはマイクロＳＤメモリカードのクロック用の端子に、メモリカード用コンタクト部５ＦはマイクロＳＤメモリカードのグランド用の端子に、それぞれ相当する。
【００４９】
したがって、本実施形態におけるコンタクトブロック３では、ソケット用コンタクト部４Ａとメモリカード用コンタクト部５Ａとが電気接続部６Ａにより電気的に接続されるように、ソケット用コンタクト部４Ａとメモリカード用コンタクト部５Ａと電気接続部６Ａとが連続一体に形成されている。同様に、図５（ａ），（ｂ）に示すように、ソケット用コンタクト部４Ｂ、４Ｃ，４Ｇ，４Ｈ，４Ｉ，４Ｊ，４Ｋそれぞれとメモリカード用コンタクト部５Ｂ〜５Ｈそれぞれと電気接続部６Ｂ〜６Ｈそれぞれとが連続一体に形成されている。
【００５０】
短絡部７は、ミニＳＤメモリカードのグランド用の端子に相当するソケット用コンタクト部４Ｄ，４Ｉ間を短絡することにより、これらソケット用コンタクト部４Ｄ，４Ｉの両方を、マイクロＳＤメモリカードのグランド用の端子に接続されるメモリカード用コンタクト部５Ｆに電気的に接続するためのものである。
【００５１】
この短絡部７は、図６（ａ）に示すように、ソケット用コンタクト部４Ｄ，４Ｉの上記端面４０それぞれから上記接続方向（奥方向）に沿って延設され先端部の位置が揃えられた一対の延設部７０と、左右方向（すなわち、ソケット用コンタクト部４の接触面４１に平行する面内で上記接続方向と直交する幅方向）に長手方向が沿った形に形成され一対の延設部７０の先端部間を一体に連結する連結部７１とを備えている。短絡部７は、延設部７０を、ソケット用コンタクト部４の端面４０との距離が所定値となる部位で後方に９０度折曲した後に、当該部位よりも先端部側で端面４０との距離が所定値となる部位で手前側に９０度折曲することにより、連絡部７１が保持部９の対向面９０の面方向に沿った方向（つまり前後方向）においてソケット用コンタクト部４と重なる形に形成されている。なお、図６（ａ）に示す形状が得られるのであれば、延設部７０を折曲する順番は逆であっても問題はない。
【００５２】
ここで、ソケット用コンタクト部４Ｄ，４Ｉの端面４０の位置が揃っていれば問題はないが、ソケット用コンタクト部４Ｄ，４Ｉは、端面４０の位置が異なっているので、ソケット用コンタクト部４Ｄの端面４０から延設された延設部７０と、ソケット用コンタクト部４Ｉの端面４０から延設された延設部７０とは長さが異なっている。
【００５３】
そのため、延設部７０それぞれを上述したように折曲した場合には、延設部７０の先端部の位置は揃わなくなり、その結果、連結部７１の長手方向が左右方向に沿わなくなってしまう。そこで、本実施形態における短絡部７では、図６（ｂ）に示すように、連結部７１の一部（図示例では中腹部）に段加工を施して圧延することにより連結部７の端部を長さが足りない延設部７０の一部として利用し、これによって、連結部７の形状を、左右方向を長手方向とする形に維持するようにしている。つまり、連結部７において段加工が施された一部が、一対の延設部７０の長さの違いに応じて圧延されて左右方向を長手方向とする形に連結部７の形状を維持する圧延部７１となる。
【００５４】
このように連結部７に圧延部７１を設ければ、短絡部７により短絡するソケット用コンタクト部４の端面４０の位置が異なっていても、連結部７１を、左右方向を長手方向とする形状に維持できるから、連結部７１が左右方向を長手方向とする形状となるように延設部７０を折曲することにより、延設部７０を折曲する部位を間違ってしまうことを防止できる。
【００５５】
また、短絡部７は、図１（ｂ）に示すように、厚み方向における一端側の面、つまり前面７ａがソケット用コンタクト部４の接触面４１よりも後方（すなわち厚み方向における他端側）に位置するように構成されている。なお、図１（ｂ）は、短絡部７の前面７ａとソケット用コンタクト部の接触面４１との位置関係を分かり易く表示するために、図１（ａ）よりも厚み方向に引き伸ばしてある。
【００５６】
ところで、短絡部７が設けられていないソケット用コンタクト部４Ａ〜４Ｃ，４Ｅ〜４Ｈ，４Ｊ，４Ｋには、剥離防止部８が設けられている。
【００５７】
剥離防止部８は、ソケット用コンタクト部４が保持部９から剥離することを防止するためのものであって、短絡部７が設けられていないソケット用コンタクト部４Ａ〜４Ｃ，４Ｅ〜４Ｈ，４Ｊ，４Ｋそれぞれの端面４０に一体に突設されている。この剥離防止部８は、先端側の幅寸法が基端側の幅寸法より大きいＴ字状に形成され、これにより保持部９から抜け難くしている。また、剥離防止部８は、先端側が後方を向くようにその基端側が後方に９０度折曲されている。さらに、剥離防止部８は、短絡部７と同様に、厚み方向における一端側の面、つまり前面８ａがソケット用コンタクト部４の接触面４１よりも後方に位置するように構成されている。
【００５８】
以上述べたようなソケット用コンタクト部４、メモリカード用コンタクト部５、電気接続部６、短絡部７、および剥離防止部８は、例えば、弾性を有する金属板を打ち抜き加工することによって形成されている。
【００５９】
保持部９は、絶縁性を有する樹脂材料からなる樹脂成形品であって、左右方向を長手方向とする矩形板状に形成されている。保持部９の左右方向両端側それぞれには、コンタクトブロック３をアダプタ本体２に固定するために用いられる円形状の嵌合孔部９ａが厚み方向（前後方向）に貫設されている。この保持部９には、図１（ｂ）および７（ａ）に示すように、ソケット用コンタクト部４が、その接触面４１を保持部９の前面９０側に露出する形でインサートされている。ここで、ソケット用コンタクト部４の接触面４１を含む平面と、保持部９の前面９０を含む平面とが同一の平面となるようにしている。一方、メモリカード用コンタクト部５は、保持部９の手前側から突出する形で、保持部９にインサートされている。また、短絡部７および各剥離防止部８は、いずれも保持部９に完全に埋設する形で保持部９にインサートされている。そのため、短絡部７が設けられたソケット用コンタクト部４Ｄ，４Ｉ、および短絡部７が設けられていないソケット用コンタクト部４Ａ〜４Ｃ，４Ｅ〜４Ｈ，４Ｊ，４Ｋが保持部９から剥離（特に、ソケット用コンタクト部４の端面４１側が保持部９から剥離）してしまうことを抑制できる。
【００６０】
特に、短絡部７は、厚み方向に沿った方向においてソケット用コンタクト部４Ｄ〜４Ｉと重なる形に折曲された状態で、保持部９に埋設されているので、短絡部７により短絡しないソケット用コンタクト部４Ａ〜４Ｃ，４Ｅ〜４Ｈ，４Ｊ，４Ｋと、短絡部７との絶縁距離を確保でき、その上、短絡部７が設けられたソケット用コンタクト部４Ｄ，４Ｉが保持部７から剥離してしまうことをさらに抑制できる。
【００６１】
アダプタ本体２は、上述したようにミニＳＤメモリカードの外形と同サイズに形成されたものであって、図３に示すように、前面が開口した箱状のベース２０と、ベース２０の前面開口を覆う形でベース２０に被着されるカバー２１とを備えている。これらベース２０およびカバー２１それぞれは絶縁性を有する樹脂材料からなる樹脂成形品である。
【００６２】
ベース２０の前面側の奥側（図２に矢印ｅで示す方向側）には、コンタクトブロック３用の第１収納部２０ａが形成されている。この第１収納部２０ａの底面には、保持部９の一対の嵌合孔部９ａそれぞれと凹凸嵌合してコンタクトブロック３を固定するための一対の円柱状の嵌合突部２０ｂが左右方向に離間する形に一体に形成されている。一方、ベース２０の前面側の手前側（図２に矢印ｆで示す方向側）には、メモリカード１００用の第２収納部２０ｃが第１収納部２０ａと連通する形に形成され、ベース２０における手前側の端部には、メモリカード１００を第２収納部２０ｃに挿入するための第１開口部２０ｄが形成されている。
【００６３】
ところで、アダプタ本体２には、アダプタ１からメモリカード１００が不意に外れることを防止するために係止部材２２が設けられている。この係止部材２２は、例えば、弾性を有する帯状の金属板から曲成され、ベース２０に固定されるコ字状の固定片２２ａと、メモリカード１００がアダプタ１に対する定位置に位置した際にメモリカード１００の切欠部１１０（図４参照）と凹凸嵌合するく字状の係止片２２ｂとを一体に備える。これに対応して、ベース２０の第２収納部２０ｃの左側（図２に矢印ｃで示す方向側）には、係止部材２２を収納する第３収納部２０ｅが形成されている。この第３収納部２０ｅには、係止部材２２の固定片２２ａと凹凸嵌合して係止部材２２を固定する固定溝部２０ｆと、係止片２２ｂを第２収納部２０ｂ側に進出させる孔部２０ｇが設けられており、係止部材２２は、係止片２２ｂが孔部２０ｇを通じて第２収納部２０ｂに進退自在に第３収納部２０ｅに収納される。
【００６４】
上述したベース２０には、図３に示すように、コンタクトブロック３が、ソケット用コンタクト部４の接触面４１が露出する前面９０を前方に向けるとともに、メモリカード用コンタクト部５を第２収納部２０ｃに進出させた形で第１収納部２０ａに収納され、保持部９の嵌合凹部９ａに嵌合突部２０ｂを嵌め込むことによって、コンタクトブロック３がベース２０に対して固定される。
【００６５】
カバー２１において第１収納部２０ａに対応する部位には、コンタクトブロック３を露出させる矩形状の窓部２１ａが形成されている。この窓孔２１ａは、窓孔２１ａからコンタクトブロック３が脱落することがないように、左右方向の寸法が、コンタクトブロック３よりも小さく設定されている。また、カバー２１の後面側において第２収納部２０ｃに対応する部位には、第２収納部２０ｃとともにメモリカード１００用の収納スペースを構成する第４収納部（図示せず）が形成され、カバー２１の手前側の端部には、メモリカード１００を上記第４収納部に挿入するための第２開口部２１ｂが形成されている。
【００６６】
上述したカバー２１は、窓孔２１ａからコンタクトブロック３を前方に臨ませる形でベース２０に被着され、この後にベース２０と溶着される。そして、このようにカバー２１をベース２０に被着した際には、第２収納部２０ｃと上記第４収納部とによってメモリカード１００用の収納スペースが構成され、第１開口部２０ｄと第２開口部２１ｂとによって、上記収納スペースにメモリカード１００を挿入または上記収納スペースからメモリカード１００を引抜するためのカード用挿入口２ａが構成される。
【００６７】
ところで、アダプタ本体２（本実施形態ではカバー２１）におけるメモリカード用コンタクト部５とカード挿入口５ａとの間には、図８に示すように、メモリカード１００をアダプタ本体２に装着する際に、メモリカード１００が、メモリカード用コンタクト部５におけるカード挿入口２ａ側（つまりは、上記接続方向とは反対側の手前側）の端面に接触することを防止するリブ２３が形成されている。したがって、このようなリブ２３によれば、メモリカード１００の装着時に、メモリカード用コンタクト部５におけるカード挿入口２ａ側の端面に、メモリカード１００が接触、衝突して、メモリカード用コンタクト部５が折れ曲がって（座屈）しまうことを防止できる。
【００６８】
以上述べたアダプタ１にメモリカード１００を装着するにあたっては、図４に示すように、カード用挿入口２ａを通してメモリカード１００を上記収納スペースに挿入（収納）すればよく、メモリカード１００がアダプタ１に対する定位置に位置した際には、メモリカード１００の各端子がメモリカード用コンタクト部５それぞれに電気的に接続される。
【００６９】
その結果、ミニＳＤメモリカードのデータ伝送用の端子に対応するソケット用コンタクト部４Ａ，４Ｂ，４Ｊ，４ＫそれぞれがマイクロＳＤメモリカードのデータ伝送用の端子それぞれに電気的に接続され、ミニＳＤメモリカードのコマンド用の端子に対応するソケット用コンタクト部４ＣがマイクロＳＤメモリカードのコマンド用の端子に電気的に接続される。また、ミニＳＤメモリカードの電源用の端子に対応するソケット用コンタクト部４ＧがマイクロＳＤメモリカードの電源用の端子に電気的に接続され、ミニＳＤメモリカードのクロック用の端子に対応するソケット用コンタクト部４ＨがマイクロＳＤメモリカードのクロック用の端子に電気的に接続され、ミニＳＤメモリカードのグランド用の端子に対応するソケット用コンタクト部４ＩがマイクロＳＤメモリカードのグランド用の端子に電気的に接続される。そして、ミニＳＤメモリカードのグランド用の端子に対応するソケット用コンタクト部４Ｄは、短絡部７を通じてマイクロＳＤメモリカードのグランド用の端子に電気的に接続される。
【００７０】
また、メモリカード１００がアダプタ１に対する定位置に位置した際には、係止片２２ｂがメモリカード１００の切欠部１１０に凹凸嵌合して、メモリカード１００がメモリカード用アダプタ１から不意に外れることが防止される。
【００７１】
以上述べた本実施形態のアダプタ１によれば、ソケット用コンタクト部４同士を電気的に接続して短絡する短絡部７を、ソケット用コンタクト部４におけるソケットへの接続方向側の端面４０から一体に延設しているので、ソケット用コンタクト部４を短絡するための導電部材を新たに設けなくて済むから、部品点数を増やすことなくソケット用コンタクト部４を短絡できる。
【００７２】
その上、短絡部７および剥離防止部８の前面７ａ，８ａは、ソケット用コンタクト部４の前面である接触面４１よりも後方に位置しているので、保持部９の形成時に保持部形成用の樹脂材料が短絡部７または剥離防止部８を伝ってソケット用コンタクト部４の接触面４１に到達し難くなるから、接触面４１が保持部形成用の樹脂材料で覆われることを防止できるとともに短絡部７または剥離防止部８の一部が保持部９から露出することを防止でき、その結果、ソケット用コンタクト部４の接触面４１を設計どおりに保持部９から露出させることができるようになり、ソケット用コンタクト部４を確実に規定の順番で上記ソケットの端子に接続できる。
【００７３】
ところで、本発明における短絡部７は、上記の実施形態に示す構成に限られるものではなく、例えば部分たたきなどによって前面７ａに、図９（ａ）に示すような直方体状の突起部７３を設けるようにしてもよく、このようにすれば、保持部形成用の樹脂材料がソケット用コンタクト部４の端面４０側に移動し難くなって、保持部形成用の樹脂材料によって接触面４１が覆われることがさらに防止される。なお、突起部７３の形状は図９（ａ）に示す例に限られるものではなく、例えば図９（ｂ）に示すような側面が三角形状となったものであってもよく、これらに限定されない。また、剥離防止部８に上記突起部７３と同様の突起部（図示せず）を設けるようにしてもよい。
【００７４】
なお、本実施形態では、マイクロＳＤメモリカードをミニＳＤメモリカード用のソケットに接続する際に利用されるメモリカード用アダプタを例示しているが、この例に限られるものではなく、例えば、マイクロＳＤメモリカードをＳＤメモリカード用のソケットに接続する際に利用されるメモリカード用アダプタであってもよく、要は、隣接していないソケット用コンタクト部４を短絡する必要があるメモリカード用アダプタであればよい。
【図面の簡単な説明】
【００７５】
【図１】（ａ）は本発明の一実施形態のメモリカード用アダプタのコンタクトブロックの斜視図、（ｂ）は同図（ａ）におけるＡ−Ａ線矢視図である。
【図２】同上におけるメモリカード用アダプタの斜視図である。
【図３】同上におけるメモリカード用アダプタの分解斜視図である。
【図４】同上におけるメモリカード用アダプタへのメモリカードの装着方法の説明図である。
【図５】同上におけるコンタクトブロックの導電部を示し、（ａ）は前方から見た斜視図、（ｂ）は後方から見た斜視図である。
【図６】同上におけるコンタクトブロックの導電部を示し、（ａ）は後面図、（ｂ）は同図（ａ）の部分拡大図である
【図７】同上におけるコンタクトブロックを示し、（ａ）は前方から見た斜視図、（ｂ）は後方から見た斜視図である。
【図８】同上におけるメモリカード用アダプタの部分断面図である。
【図９】同上におけるコンタクトブロックの他例を示す側面図である。
【符号の説明】
【００７６】
１    メモリカード
２    アダプタ本体
２ａ  カード挿入口
３    コンタクトブロック
４，４Ａ〜４ｋ    ソケット用コンタクト部
５，５Ａ〜５Ｈ    メモリカード用コンタクト部
６，６Ａ〜６Ｈ    電気接続部
７    短絡部
７ａ  前面（厚み方向における一端側の面）
８    剥離防止部
８ａ  前面（厚み方向における一端側の面）
９    保持部
２３    リブ
４０    端面
４１    接触面
５０    接触ばね片
７０    延設部
７１    連結部
７１ａ  圧延部
１００    メモリカード
【図１】
2008251509.tif 000003
【図２】
2008251509.tif 000004
【図３】
2008251509.tif 000005
【図４】
2008251509.tif 000006
【図５】
2008251509.tif 000007
【図６】
2008251509.tif 000008
【図７】
2008251509.tif 000009
【図８】
2008251509.tif 000010
【図９】
2008251509.tif 000011